(57)【要約】【課題】撮影時又は透視時のグリッドを好適に設定し、最適の撮影条件で被検体の透視及び撮影をすることができる放射線画像撮影装置及び方法を提供する。【解決手段】被写体に対して放射線（Ｘ線）を照射するＸ線部１０２と、被写体を透過した放射線をグリッドを介して検出する２次元検出器１０６と、検出されたＸ線から被写体の画像を取得する読み取り制御部１０７とを備える。さらに、Ｘ線条件、グリッド条件、読み取り条件等の撮影条件を設定可能なユーザインタフェース１１３と、設定された撮影条件に基づいて複数のグリッドから一のグリッドを選択するグリッド切替部１０５と、グリッドによって生じる画像上のグリッド縞を低減するグリッド縞低減部１０９とを備える。【選択図】  図１
2004329783.tif 000002
【特許請求の範囲】
【請求項１】
被写体に対して放射線を照射する照射手段と、
前記被写体を透過した放射線をグリッドを介して検出する検出手段と、
検出された前記放射線から前記被写体の画像を取得する取得手段と
を備える放射線画像撮影装置であって、
撮影条件を設定する設定手段と、
前記撮影条件に基づいて複数のグリッドから一のグリッドを選択する選択手段と、
前記グリッドによって生じる前記画像上のグリッド縞を低減するグリッド縞低減手段と
をさらに備えることを特徴とする放射線画像撮影装置。
【請求項２】
前記撮影条件が、放射線条件を含んでおり、
前記照射手段が、前記放射線条件に基づいて、前記被写体に対して放射線を照射することを特徴とする請求項１に記載の放射線画像撮影装置。
【請求項３】
前記撮影条件が、画像取得条件を含んでおり、
前記取得手段が、前記画像取得条件に基づいて、検出された放射線から前記被写体の画像を取得することを特徴とする請求項１又は２に記載の放射線画像撮影装置。
【請求項４】
前記取得手段は、前記検出手段により検出された前記放射線から、前記画像取得条件に基づいて読み取り画素ピッチを変更して前記被写体の前記画像を取得することを特徴とする請求項３に記載の放射線画像撮影装置。
【請求項５】
前記設定手段により設定された撮影条件に基づいて前記読み取り画素ピッチが変更した場合、前記選択手段は、変更した前記読み取り画素ピッチに対応したグリッド周波数を有するグリッドを選択することを特徴とする請求項４に記載の放射線画像撮影装置。
【請求項６】
前記選択手段が、前記被写体の透視時には透視用グリッドを選択し、該被写体の撮影時には撮影用グリッドを選択することを特徴とする請求項１から５までのいずれか１項に記載の放射線画像撮影装置。
【請求項７】
前記透視用グリッドと前記撮影用グリッドとは、同一平面内に連結されており、前記選択手段は、該透視用グリッドと該撮影用グリッドとをシフトすることによっていずれかを選択することを特徴とする請求項６に記載の放射線画像撮影装置。
【請求項８】
前記透視用グリッドと前記撮影用グリッドとは、格子比又はグリッド周波数が互いに異なることを特徴とする請求項６又は７に記載の放射線画像撮影装置。
【請求項９】
被写体に対して放射線を照射する照射手段と、
前記被写体を透過した放射線をグリッドを介して検出する検出手段と、
検出された前記放射線から前記被写体の画像を取得する取得手段と
を備える放射線画像撮影装置であって、
データ収集モードを設定する設定手段と、
前記データ収集モードに基づくグリッドを選択する選択手段と、
前記グリッドによって生じる前記画像上のグリッド縞を低減するグリッド縞低減手段と
をさらに備えることを特徴とする放射線画像撮影装置。
【請求項１０】
前記設定手段が、前記検出手段により検出された前記放射線から前記被写体の画像を取得する際の画素ピッチを設定し、
前記選択手段が、前記画素ピッチで取得された前記画像上のグリッド縞を低減するグリッド周波数を有するグリッドを選択することを特徴とする請求項９に記載の放射線画像撮影装置。
【請求項１１】
被写体に対して放射線を照射する照射工程と、
前記被写体を透過した放射線をグリッドを介して検出する検出工程と、
検出された前記放射線から前記被写体の画像を取得する取得工程と
を有する放射線画像撮影方法であって、
撮影条件を設定する設定工程と、
前記撮影条件に基づいて複数のグリッドから一のグリッドを選択する選択工程と、
前記グリッドによって生じる前記画像上のグリッド縞を低減するグリッド縞低減工程と
をさらに有することを特徴とする放射線画像撮影方法。
【請求項１２】
コンピュータに、
設定された撮影条件に基づいて複数のグリッドから一のグリッドを選択する選択手順と、
被写体に対して照射され、該被写体を透過した放射線を前記グリッドを介して検出する検出手順と、
検出された前記放射線から前記被写体の画像を取得する取得手順と
前記グリッドによって生じる前記画像上のグリッド縞を低減するグリッド縞低減手順と
を実行させるためのプログラム。
【請求項１３】
請求項１２に記載のプログラムを格納したことを特徴とするコンピュータ読み取り可能な記録媒体。
【発明の詳細な説明】
【０００１】
【発明の属する技術分野】
本発明は、透視時と撮影時とでグリッドを切り替える放射線画像撮影技術に関する。
【０００２】
【従来の技術】
従来から、透視撮影装置における透視時（動画撮影時）と撮影時（静止画撮影時）とで異なるグリッドを使用する技術として、Ｘ線撮影透視台のグリッド移動機構（例えば、特許文献１参照）、カセッテレスＸ線透視撮影装置（例えば、特許文献２参照）、Ｘ線透視撮影装置（例えば、特許文献３参照）等が知られている。
【０００３】
上記特許文献１は、遥動グリッドシステムに関する技術であって、Ｘ線による撮影を行う速写装置に組み込まれるグリッドに対する揺動力の伝達が可能な往復揺動機構と、前記グリッドのＸ線撮影領域に対する退避駆動及び搬入駆動が可能な退避機構と、グリッドと往復揺動機構との連結及び解除が可能な連結機構とを備え、前記連結機構は、グリッドの搬入駆動時にはグリッドと往復揺動機構とを連結し、グリッドの退避時には往復揺動機構との連結を解除するようにしたことを特徴とするＸ線撮影透視台のグリッド移動機構が開示されている。
【０００４】
特許文献１の記載によれば、一枚のフィルムを分割撮影する場合、連続撮影（ラピッド撮影）が可能であるが、この場合に、従来のグリッド機構のようにスプリングの弾力を利用してグリッドを揺動させる方式ではグリッドの揺動運動が時間の経過とともに次第に減衰するため、連続撮影の際に分割写真上で縞目が残存することが多く、これを完全に除去することが不可能であることが問題であった。そこで、特許文献１では、連続撮影の場合にも分割写真上に縞目を生じることがなく、かつ、グリッド不使用時にはＸ線撮影領域から退避させることができるＸ線透視撮影台のグリッド移動機構が開示されている。
【０００５】
また、上記特許文献２には、Ｘ線源からＸ線曝射を受けた被検体からの散乱Ｘ線を除去するグリッドと、このグリッドとフィルムとの間に介挿され、被検体を透過したＸ線を検出し、その検出信号をＸ線量を制御するＸ線制御器に出力する検出器と、裏面に後方散乱Ｘ線を除去する鉛板を備え前記フィルムを密着する密着板と、前記Ｘ線を光学像に変換するイメージインテンシファイア（ｉｍａｇｅ  ｉｎｔｅｎｓｉｆｉｅｒ）の前面に設けられ散乱Ｘ線を除去する透視グリッドと、前記密着板を開閉動作し前記フィルムを密着する機構と、この機構により密着された前記密着板をフィルム受渡し位置から撮影位置、透視位置及びパーク位置に搬送し透視撮影終了後前記フィルム受渡し位置に戻す機構と、撮影時には前記密着板から適合する前記グリッド及び検出器に交換し、透視時には適合する前記透視グリッドに交換する制御機構と、を具備したことを特徴とするカセッテレスＸ線透視撮影装置が開示されている。
【０００６】
特許文献２の記載によれば、撮影の際の濃度を安定させるために、撮影の際に飛び込んでくる密着板には、グリッド、フィルム及び濃度を安定化するための検出器（フォトタイマー）が一体化されている。また、特許文献２には、透視の際と撮影の際にグリッドを変更すること、また、同じ透視の際にも管電圧等の撮影条件に依存してグリッドを変更することが開示されている。
【０００７】
さらに、上記特許文献３には、透視モードと撮影モードとが設定可能であって、定常時にはイメージインテンシファイヤ及び透視用グリッドがＸ線照射野に固定配置されており、撮影モードが設定されるとＸ線フィルム密着ホルダ及び撮影用グリッドがＸ線照射野に飛込み配置されると共に前記撮影用グリッドが揺動されるＸ線透視撮影装置において、前記撮影用グリッドを固定するグリッド固定用フレームと、このグリッド固定用フレームを待機位置と撮影位置との間で移動させ、かつ、移動中及び前記撮影位置にて揺動させ得るグリッド揺動用レールと、Ｘ線フィルム密着ホルダを待機位置と撮影位置との間で移動させるためのホルダ駆動用フレームと、前記Ｘ線フィルム密着ホルダを移動させるため前記ホルダ駆動用フレームを移動させる駆動機構とを有し、前記グリッド固定用フレームと前記ホルダ駆動用フレームとの間に、前記駆動機構を駆動して前記ホルダ駆動用フレームを前記待機位置と前記撮影位置との間で移動したとき、前記ホルダ駆動用フレームに従動して前記グリッド固定用フレームを前記グリッド揺動用レールに沿って前記待機位置と前記撮影位置との間で移動させる従動機構とを具備したことを特徴とするＸ線透視撮影装置が開示されている。
【０００８】
特許文献３に記載された技術は、撮影の際のグリッドの揺動機構と撮影フレーム（フィルムと増感紙を密着したもの）の飛び込み機構を連携させることを目的としており、その実施例において透視用のグリッドは透視用センサ（Ｉ．Ｉ．）の全面に固定されている。
【０００９】
上述したような技術背景から、半導体を使用した１台のＦＰＤセンサ（Ｆｌａｔ  Ｐａｎｅｌ  Ｄｅｔｅｃｔｏｒ）を用いて、透視時と撮影時においてそれぞれ異なるグリッドを切り替えて使用する放射線画像撮影装置が考えられ得る。
【００１０】
【特許文献１】
特開昭６１−２２０６３１号公報
【特許文献２】
特開平２−１９１９３６号公報
【特許文献３】
特開平３−５３２３８号公報
【００１１】
【発明が解決しようとする課題】
しかしながら、半導体を使用したＦＰＤセンサを用いて、透視と撮影の両方を行う放射線画像撮影装置においては、以下に示す事項が問題となる。すなわち、
（１）透視の際の撮影線量は、撮影時の１００分の１程度と線量が非常に小さい、
（２）透視及び撮影の際には、Ｘ線の線量に加えて管電圧も異なるのでグリッドを適切に切り替える必要がある、
（３）グリッドを挿入した際に、固定グリッドであれば、グリッド周波数とＦＤＰセンサのサンプリングピッチに依存して画像にモアレが発生する、
（４）グリッドを揺動させる場合は、機構が複雑となり、特に画像の取り込み周波数とグリッド揺動周期、及び、撮影時間と揺動スピードの関係を好適にするための設定が煩雑になる。
【００１２】
本発明は、このような事情を考慮してなされたものであり、撮影時又は透視時のグリッドを好適に設定し、最適の撮影条件で被検体の透視及び撮影をすることができる放射線画像撮影装置及び方法を提供することを目的とする。
【００１３】
【課題を解決するための手段】
上記課題を解決するため、本発明は、被写体に対して放射線を照射する照射手段と、
前記被写体を透過した放射線をグリッドを介して検出する検出手段と、
検出された前記放射線から前記被写体の画像を取得する取得手段と
を備える放射線画像撮影装置であって、
撮影条件を設定する設定手段と、
前記撮影条件に基づいて複数のグリッドから一のグリッドを選択する選択手段と、
前記グリッドによって生じる前記画像上のグリッド縞を低減するグリッド縞低減手段と
をさらに備えることを特徴とする。
【００１４】
また、本発明は、被写体に対して放射線を照射する照射工程と、
前記被写体を透過した放射線をグリッドを介して検出する検出工程と、
検出された前記放射線から前記被写体の画像を取得する取得工程と
を有する放射線画像撮影方法であって、
撮影条件を設定する設定工程と、
前記撮影条件に基づいて複数のグリッドから一のグリッドを選択する選択工程と、
前記グリッドによって生じる前記画像上のグリッド縞を低減するグリッド縞低減工程と
をさらに有することを特徴とする。
【００１５】
【発明の実施の形態】
以下、図面を参照して、本発明の実施の形態について詳細に説明する。
【００１６】
＜第１の実施形態＞
図１は、本発明の第１の実施形態に係る放射線画像撮影システムの構成を示すブロック図である。図１に示すように、本実施形態に係る放射線画像撮影システムは、被写体１０１に放射線（Ｘ線）を照射するＸ線部１０２と、透視用グリッド１０３と撮影用グリッド１０４とを切り替えるグリッド切替部１０５と、グリッドを介してＸ線を検出する２次元検出部１０６と、２次元検出部１０６で検出されたＸ線を光学像（画像）に変換する読み取り制御部１０７と、画像を記憶するメモリ部１０８と、透視用グリッド１０３又は撮影用グリッド１０４による画像上のグリッド縞を低減するグリッド縞低減部１０９を備える画像処理部１１０と、画像を表示する表示部１１１と、上記各部を制御するシステム制御部１１２と、操作者が本放射線画像撮影システムを操作・設定等するためのユーザインタフェース部１１３とから構成される。
【００１７】
本実施形態におけるシステム制御部１１２は、透視や撮影で要求される事項を換算して、Ｘ線条件、グリッド条件及び読み取り条件を決定する。尚、これらの撮影条件は、単に透視と撮影とに二分されるわけではなく、透視や撮影においてもさらに患者の撮影部位によって細かく分類されるべきものである。本実施形態では、このような細部にまで分類されたデータ収集モード（透視モードや撮影モード或いはそれらの程度が異なるモード）を、操作者がユーザインタフェース部１１３を用いて設定する。このため、ユーザインタフェース部１１３には、操作者による様々な画像の種類等に対する詳細な要求に応じられるように複数種類の撮影ボタン等が備わっている。
【００１８】
図２は、透視及び撮影の場合におけるＸ線、グリッド及び読み取り条件の一例を示す図である。本実施形態では、図２に示すような条件がシステム制御部１１２内のメモリ等に記憶されることにより、操作者によるユーザインタフェース部３からの撮影条件等の設定を簡単化することが可能となる。すなわち、ユーザインタフェース部１１３で設定された透視モード或いは撮影モードに応じて、図２に示すようなＸ線条件、グリッド条件、又は読み取り条件に関するデータが読み込まれて、それぞれＸ線部１０２、グリッド切替部１０５又は読み取り制御部１０４がコントロールされる。
【００１９】
図３は、本実施形態に係る放射線画像撮影システムにおけるシステム制御の流れを説明するためのフローチャートである。上述したように、操作者は、まず撮影モードの設定（変更）をユーザインタフェース部１１３を介して行う（ステップＳ３０１）。これにより画素ピッチが変更される（ステップＳ３０２）。すなわち、図２に示すように、透視モードが設定された場合は読み取り画像ピッチは「大」に設定されるが、撮影モードが設定された場合は読み取り画像ピッチは「小」に設定される。
【００２０】
すなわち、本実施形態に係る放射線画像撮影システムにおいて、読み取り制御部１０７は、２次元検出器１０６により検出されたＸ線から、上記読み取り条件に基づいて読み取り画素ピッチを変更して被写体の画像を取得することを特徴とする。
【００２１】
次いで、設定されたモードに対応したグリッドが選択され（ステップＳ３０３）、グリッド切替部１０５によって透視用グリッド１０３又は撮影用グリッド１０４に切り替えられる（ステップＳ３０４）。すなわち、本実施形態に係る放射線画像撮影システムにおいて、グリッド切替部１０５が、被写体の透視時には透視用グリッド１０３を選択し、被写体の撮影時には撮影用グリッド１０４を選択することを特徴とする。
【００２２】
図４は、本発明の第１の実施形態におけるグリッド切替部１０５によるグリッド切り替えを説明するための概念図である。すなわち、「透視」の際は、Ｘ線条件が低電圧かつ低電流での撮影になるので、被写体１０１からの散乱線も少なく、また、撮影のための被写体１０１のポジショニングに意味があるので、収集される画像の空間分解能や周波数分解能も比較的低く要求される。例えば、透視用グリッド格子比として４：１のものを使用する。一方、「撮影」の際には、撮影された画像が医師の診断に供されるために、ＳＮが良い画像が要求されるので管電流は高くなる。尚、管電圧は被写体（人体）のどの部位を撮影するかに依存する。例えば、胸部の撮影の際は、透視及び腹部の撮影の際よりも高い管電圧で撮影される。また、管電圧や管電流に依存して被写体１０１からの散乱線が多くなり、組織の画素値コントラストが高いことが要求されるので、グリッドは格子比の高いものが選択される。例えば、撮影用グリッド格子比として１０：１のものを使用する。
【００２３】
また、図５は、本発明の第１の実施形態におけるグリッド切替部１０５によるグリッド切り替えの様子を説明するためのシステムブロック図である。図５に示すように、データ収集モードの切り替えに対応して、撮影用グリッド及び透視用グリッドがそれぞれ検出器と被写体の間に挿入される。一方、使用されないグリッドは退避位置に停止させられる。
【００２４】
グリッドが切り替えられた後、被写体１０１に対してＸ線部１０２からＸ線を照射して透視又は撮影が行われ、上述したように被写体に関する画像が得られる。その後、グリッド縞低減部１０９によって、画像上に存在するグリッド縞の低減処理を行うために、グリッド低減処理パラメータが変更される（ステップＳ３０５）。そして、グリッド縞低減部１０９によって画像上に存在するグリッド縞の低減処理が行われる（ステップＳ３０６）。
【００２５】
すなわち、本実施形態に係る放射線画像撮影システムは、被写体に対して放射線（Ｘ線）を照射するＸ線部１０２と、被写体を透過した放射線をグリッドを介して検出する２次元検出器１０６と、検出されたＸ線から被写体の画像を取得する読み取り制御部１０７とを備え、さらに、撮影条件（例えば、グリッド条件）を設定可能なユーザインタフェース１１３と、設定されたグリッド条件に基づいて複数のグリッドから一のグリッドを選択するグリッド切替部１０５と、グリッドによって生じる画像上のグリッド縞を低減するグリッド縞低減部１０９とを備えることを特徴とする。
【００２６】
また、上記放射線画像撮影システムにおいては、上記撮影条件が、Ｘ線条件を含んでおり、Ｘ線部１０２が、当該放射線条件に基づいて、被写体に対して放射線を照射することを特徴とする。
【００２７】
さらに、上記放射線画像撮影システムにおいては、上記撮影条件が、読み取り条件を含んでおり、読み取り制御部１０７が、当該読み取り条件に基づいて、検出された放射線から被写体の画像を取得することを特徴とする。
【００２８】
ここで、透視モード又は撮影モードにおいて得られた画像中に存在するグリッド縞と、これを低減ためのグリッド縞低減処理に関して説明する。
【００２９】
本実施形態では、上述のように、グリッドは揺動することなく固定グリッドシステムを採用している。その理由として、前述したように揺動システムは、機構の巨大化、温度上昇、ノイズ源等の要因になるとともに、透視の際の収集周期及び撮影時間に依存して揺動スピードを変更する必要があるためである。固定グリッドシステムを採用することによって、これらの問題が解消する。
【００３０】
尚、本実施形態におけるグリッド縞低減処理は、固定グリッドシステムだけに限定されるものではなく、揺動グリッドシステムを採用した場合であっても、以下に述べるようなグリッド縞低減処理を行うことによって、揺動スピードと上記条件のミスマッチによりグリッドが画像中に発生してしまった際のグリッド縞低減に有効である。
【００３１】
本実施形態におけるグリッド縞低減処理としてはさまざまな方法を用いることが可能である。例えば、２次元センサの画像ピッチＦｓから計算されるナイキスト周波数Ｆｎｑ（＝Ｆｓ／２）より低い周波数のグリッドを使用して、ローパスフィルタにより低減する方法を用いることができる（特許第２５０７６５９号）。この方法による場合は、透視画像と撮影画像では２次元センサの画像ピッチＦｓが異なるので、単純にはこれに対応してローパスフィルタの形状を変更することになるが、画像ピッチＦｓに起因して使用できるグリッド周波数も変化する。
【００３２】
例えば、撮影時の画素のサンプルピッチがＦｓ、この時にローパスフィルタ法で使用できるグリッド周波数をＦｇ、透視時の画素のサンプルピッチがＦｓ／２とすると、透視時に使用できるグリッドの周波数Ｆｇも半分程度にする必要がある。具体的には、透視時に使用できるグリッドの周波数は、透視時のナイキスト周波数以下である必要がある。すなわち、データ収集モードに依存して、画素ピッチが変更になると使用できるグリッドの周波数が変更になり、それによって生じる画像中のグリッド周波数も変わってくるので、このグリッド縞を除去する縞低減処理のパラメータ（例えば、ローパスフィルタのカットオフ周波数）が変更になる。すなわち、本実施形態に係る放射線画像撮影システムでは、透視用グリッド１０３と撮影用グリッド１０４とは、格子比又はグリッド周波数が互いに異なることを特徴とする。
【００３３】
また、グリッド低減処理の別の方法としては、グリッドに起因する縞構造を検出して、その縞構造を予測して除去する方法がある。この場合は、上述したローパスフィルタによる場合とは異なり、画素ピッチのナイキスト周波数よりも高い周波数のグリッドを使用する。さらに、この場合のモアレの基本周波数と第二高調波が同一の周波数になるようにグリッド周波数を選択する。この手法を用いる場合も、データ収集モードに依存して、画素ピッチが変更になると使用できるグリッドの周波数が変更になり、それによって生じる画像中のグリッド周波数も変わってくるので、このグリッド縞を除去する縞低減処理のパラメータ（例えば、画像中から検索するモアレの周波数）が変更になる。
【００３４】
すなわち、本実施形態に係る放射線画像撮影システムでは、ユーザインタフェース１１２により設定された撮影条件に基づいて読み取り画素ピッチが変更した場合、グリッド切替部１０５は、変更した読み取り画素ピッチに対応したグリッド周波数を有するグリッドを選択することを特徴とする。
【００３５】
上述したように，本実施形態によれば、同一の半導体センサ（ＦＰＤ）を使用して透視又は撮影を行う場合、Ｘ線条件やセンサの読み取り画素ピッチ等が変化することに対応して、自動的に好適なグリッドが選択される。そして、選択された好適なグリッドが自動的に被写体１０１と２次元検出器１０６の間に挿入されて、最適の撮影条件での透視及び撮影が可能となる。
【００３６】
また、従来は同一の半導体センサを透視と撮影両方に使用することは、透視時の小線量が問題で難しかったが、本実施形態では、透視時は画素ピッチを粗くして画像のＳＮを上げ、かつグリッドを低格子比、低周波数とすることによってグリッド透過線量を増加させることにより実現を可能とした。また、このときのシステムの機構を簡単化するために固定グリッドシステムを使用する場合、使用したグリッドに応じて最適なグリッド低減処理のパラメータを設定することによって、グリッド縞の影響の小さい画像を得ることが可能となった。
【００３７】
＜第２の実施形態＞
図６は、本発明の第２の実施形態におけるグリッド切替部によるグリッド切り替えを説明するための概念図である。また、図７は、本発明の第２の実施形態におけるグリッド切替部によるグリッド切り替えの様子を説明するためのシステムブロック図である。本実施形態における放射線画像撮影システムの構成及び動作は、基本的には上述した第１の実施形態と同一であるが、透視用及び撮影用グリッドが図６及び図７に示すように同一平面内に連結されて構成されている部分が異なっている。従って、本実施形態におけるグリッド切替部は、データ収集モードの切替えに対応して、撮影用及び透視用グリッドをそれぞれシフトすることによって、グリッド特性の変更を実現する。
【００３８】
すなわち、本実施形態に係る放射線画像撮影システムにおいては、透視用グリッドと撮影用グリッドとは、同一平面内に連結されており、グリッド切替部は、当該透視用グリッドと当該撮影用グリッドとをシフトすることによっていずれかに切り替えることを特徴とする。これによって、同一平面内に連結されている透視用グリッドと撮影用グリッドに対しては、一方のグリッドの挿入により自動的に他方のグリッドの退避が行われる。
【００３９】
本実施形態のメリットとしては、第１の実施形態の場合と比較して、透視及び撮影の時のグリッドの切替をシフトにより行うことで構造がより容易になり、また省スペースで高速に切替えることが可能である。また、透視から撮影の切替時間を短縮することも可能になる。さらに、グリッドが固定ではない場合でなく揺動させる場合であっても有利である。
【００４０】
＜第３の実施形態＞
上述した第１及び第２の実施形態では、データ収集モードを透視と撮影という観点で分類したが、それ以外にも例えばデータ収集モードの画素ピッチに依存してシステムの制御を行うことも考えられる。すなわち、ユーザインタフェ−ス部を用いた操作者の選択により画素ピッチが決定されると、前述したようにグリッド低減処理を考慮して適切なグリッド（すなわち、グリッド周波数）が決定される。このように、収集画素ピッチの変更にあわせてグリッドが選択変更される機構の実現も可能である。
すなわち、本実施形態に係る放射線画像撮影システムは、被写体に対してＸ線を照射するＸ線部と、被写体を透過したＸ線をグリッドを介して検出する２次元検出器と、検出されたＸ線から被写体の画像を取得する画像読み取り制御部とを備え、さらに、データ収集モードを設定するユーザインタフェースと、データ収集モードに基づくグリッドを選択するグリッド切替部と、グリッドによって生じる画像上のグリッド縞を低減するグリッド縞低減部とを備えることを特徴とする。また、上記放射線画像撮影システムにおいて、上記ユーザインタフェースにより、２次元検出器により検出されたＸ線から被写体の画像を取得する際の画素ピッチを設定し、グリッド切替部が、設定された画素ピッチで取得された画像上のグリッド縞を低減するグリッド周波数を有するグリッドを選択することを特徴とする。
【００４１】
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００４２】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４３】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４４】
本発明を上記記録媒体に適用する場合、その記録媒体には、先に説明したフローチャートに対応するプログラムコードが格納されることになる。
【００４５】
【発明の効果】
以上説明したように、本発明によれば、撮影時又は透視時のグリッドを好適に設定し、最適の撮影条件で被検体の透視及び撮影をすることができる。
【図面の簡単な説明】
【図１】本発明の第１の実施形態に係る放射線画像撮影システムの構成を示すブロック図である。
【図２】透視及び撮影の場合におけるＸ線、グリッド及び読み取り条件の一例を示す図である。
【図３】本実施形態に係る放射線画像撮影システムにおけるシステム制御の流れを説明するためのフローチャートである。
【図４】本発明の第１の実施形態におけるグリッド切替部１０５によるグリッド切り替えを説明するための概念図である。
【図５】本発明の第１の実施形態におけるグリッド切替部１０５によるグリッド切り替えの様子を説明するためのシステムブロック図である。
【図６】本発明の第２の実施形態におけるグリッド切替部によるグリッド切り替えを説明するための概念図である。
【図７】本発明の第２の実施形態におけるグリッド切替部によるグリッド切り替えの様子を説明するためのシステムブロック図である。
【符号の説明】
１０１  被写体
１０２  Ｘ線部
１０３  透視用グリッド
１０４  撮影用グリッド
１０５  グリッド切替部
１０６  ２次元検出器
１０７  読み取り制御部
１０８  メモリ部
１０９  グリッド縞低減部
１１０  画像処理部
１１１  表示部
１１２  システム制御部
１１３  ユーザインタフェース
【図１】
2004329783.tif 000003
【図２】
2004329783.tif 000004
【図３】
2004329783.tif 000005
【図４】
2004329783.tif 000006
【図５】
2004329783.tif 000007
【図６】
2004329783.tif 000008
【図７】
2004329783.tif 000009